(57)【特許請求の範囲】
【請求項１】
ポリテトラフルオロエチレンから形成された未延伸テープ状物（ＵＴ）を前記未延伸テープ状物の長手方向に延伸して第１延伸テープ状物（１ＳＴ）を作製する第１延伸工程と、
前記第１延伸テープ状物の幅方向の片端部又は両端部を１回又は複数回折り返して所定幅の第１延伸テープ状物（以下「改幅第１延伸テープ状物（ＩＷ―１ＳＴ）」という）を作製する折返し工程と、
前記改幅第１延伸テープ状物の折返し部分の一部又は全部を把持して前記改幅第１延伸テープ状物を前記改幅第１延伸テープ状物の幅方向に延伸して第２延伸テープ状物（２ＳＴ）を作製する第２延伸工程と
を備え、
前記折返し工程では、テープ状物折返し装置（２０）を用いて前記第１延伸テープ状物（１ＳＴ）の前記折返しを行い、
前記テープ状物折返し装置（２０）は、
前記第１延伸テープ状物（１ＳＴ）の幅よりも狭い幅を有し、前記第１延伸テープ状物（１ＳＴ）の一部を前記第１延伸テープ状物（１ＳＴ）の片方の面から押さえつける押さえ具（２１）と、
前記押さえ具のテープ状物送り方向（ＭＤ）下流側に配置され、前記テープ状物送り方向下流側からテープ状物の通過路（ＰＬ）に沿って見た場合において前記押さえ具の外側に向かうに従って下方に向かって傾斜する第１ガイド部材（２３）と、
を有している、
二軸延伸テープ状物製造方法。
【請求項２】
前記押さえ具は、前記テープ状物の幅方向と平行な方向に沿った回転軸（ＡＸ１ａ，ＡＸ１ｂ）を有する第１ガイドローラであり、
前記第１ガイド部材は、前記テープ状物送り方向下流側から前記テープ状物の通過路に沿って見た場合において前記押さえ具の内側から外側に向かうに従って下方に向かって傾斜する方向に沿った回転軸（ＡＸ３）を有する第２ガイドローラである
請求項１に記載の二軸延伸テープ状物製造方法。
【請求項３】
前記押さえ具の少なくとも幅方向片側に前記押さえ具と近接して配置され、前記テープ状物送り方向下流側から前記テープ状物の通過路に沿って見た場合において前記押さえ具の側面（ＳＳ）と平行な方向に沿って延びる第２ガイド部材（２２）を前記テープ状物折返し装置（２０）がさらに備える
請求項１又は２に記載の二軸延伸テープ状物製造方法。
【請求項４】
前記第２ガイド部材は、前記テープ状物の幅方向を含む面と直交する方向に沿った回転軸（ＡＸ２）を有する第３ガイドローラである
請求項３に記載の二軸延伸テープ状物製造方法。
【請求項５】
前記押さえ具は、前記テープ状物の幅方向と平行な方向に沿った回転軸（ＡＸ１）を有する第１ガイドローラであり、
前記第３ガイドローラは、前記第１ガイドローラの回転軸よりも第１ガイド部材側に配置されており、且つ、回転軸が前記テープ状物の通過路に直交するように配置されている
請求項４に記載の二軸延伸テープ状物製造方法。
【請求項６】
前記押さえ具と前記第１ガイド部材との間に配置され、前記テープ状物送り方向下流側から前記テープ状物の通過路に沿って見た場合において一部が前記押さえ具と重なっており前記押さえ具の外側から内側に向かうに従って先細り形状となる第３ガイド部材（２４）を前記テープ状物折返し装置（２０）がさらに備える
請求項１から５のいずれかに記載の二軸延伸テープ状物製造方法。
【請求項７】
前記第３ガイド部材は、前記テープ状物の幅方向と平行な方向を含む面と直交する方向に沿った回転軸（ＡＸ４）を有する第４ガイドローラであり、
前記第４ガイドローラは、回転軸を含む面で切ったときに断面が半径方向外側に向かうに従って先細りとなる外周先端部（ＰＲ）を有する
請求項６に記載の二軸延伸テープ状物製造方法。
【請求項８】
前記テープ状物に、前記テープ状物の長手方向に沿って一定の張力をかける張力形成機構（２５）を前記テープ状物折返し装置（２０）がさらに備える
請求項１から７のいずれかに記載の二軸延伸テープ状物製造方法。
【請求項９】
前記ガイド部材は、前記テープ状物送り方向下流側から前記テープ状物の通過路に沿って見た場合において前記押さえ具の幅方向両側にそれぞれ一対ずつ設けられ、
前記押さえ具の幅方向片側に設けられる前記ガイド部材をまとめて保持する一対の保持部材（２６）と、
前記保持部材の中間点（ＭＰ）が常に一定となるように保持しながら前記保持部材を前記押さえ具の幅方向と平行な方向に沿って移動させることが可能である保持部材間距離調節機構（２７）と
を前記テープ状物折返し装置（２０）がさらに備える
請求項３から８のいずれかに記載の二軸延伸テープ状物製造方法。
【請求項１０】
異なる幅を有する複数の押さえ具を保持し、前記テープ状物を押さえつける前記押さえ部を切り換えることが可能である押さえ具切換機構（２８）を前記テープ状物折返し装置（２０）がさらに備える
請求項１から９のいずれかに記載の二軸延伸テープ状物製造方法。
【発明の詳細な説明】
【技術分野】
【０００１】
本発明は、二軸延伸テープ状物製造方法に関する。
【背景技術】
【０００２】
従前より「未延伸テープ状物を長手方向に延伸する第１延伸装置（例えばロール延伸装置等）と、第１延伸装置において長手方向に延伸されたテープ状物（以下「第１延伸テープ状物」という）を幅方向に延伸する第２延伸装置（例えばテンター装置等）とから構成される二軸延伸装置（例えば、特許文献１参照）が公に知られている。
【特許文献１】特開２００２−６７１４１号公報
【発明の開示】
【発明が解決しようとする課題】
【０００３】
ところで、通常、テンター装置等に代表される第２延伸装置では延伸幅に限界がある。このため、オペレータ等が第２延伸装置において第１延伸テープ状物の幅方向の延伸倍率を比較的大きく設定する必要がある場合、オペレータ等はその第１延伸テープ状物の幅を十分小さくするように第１延伸装置の制御パラメータ等を設定しなければならない場合がある。また、かかる場合であってさらに長手方向への延伸倍率が規定されている場合、オペレータ等はカレンダー成形装置等において未延伸テープ状物の幅や厚さも調節しなければならず、さらにはカレンダー成形の前工程であるビード押出成形装置におけるビード直径の変更も必要とする。したがって、オペレータ等がこのような二軸延伸装置において第２延伸装置における延伸倍率が大きくなるように設定変更すると、オペレータ等は、ビード押出成形装置の金型の変更や、カレンダー成形装置や第１延伸装置等の制御パラメータ等までも再設定もしなければならない場合がある。このような変更及び再設定等の手間は二軸延伸テープ状物の生産性の低下を招く。このため、二軸延伸テープ状物の製造現場ではこのような再設定の手間をなくすことが期待されている。さらに、このように操作パラメータを絞り込める効果により、新規２軸延伸物の開発を迅速におこなえることが期待される。
【０００４】
ここで、このような再設定の手間を省く方法として、例えば、予め幅広の第１延伸テープ状物を作製しておき、第２延伸装置における延伸倍率に応じて第１延伸テープ状物を、その延伸倍率に適合した幅となるように切断する方法等が考えられる。しかし、テープ状物が例えばポリテトラフルオロエチレン（以下「ＰＴＦＥ」という）等から形成される場合、時間の経過に従って切断刃にＰＴＦＥ微粉末が付着して切断不良が生じることがあったため、このような方法は実用化まで至らなかった。
【０００５】
本発明の課題は、テンター装置等に代表される第２延伸装置における延伸倍率が大きくなるように変更されるような場合であってもビード押出成形装置の金型の交換、カレンダー成形装置や第１延伸装置等の制御パラメータ等の再設定等が行われる必要のない二軸延伸テープ状物の製造方法を提供することにある。
【課題を解決するための手段】
【０００６】
第１発明に係る二軸延伸テープ状物製造方法は、第１延伸工程、折返し工程及び第２延伸工程を備える。第１延伸工程では、ポリテトラフルオロエチレンから形成された未延伸テープ状物が未延伸テープ状物の長手方向に延伸されて第１延伸テープ状物が作製される。折返し工程では、第１延伸テープ状物の幅方向の片端部又は両端部が１回又は複数回折り返されて所定幅の第１延伸テープ状物（以下「改幅第１延伸テープ状物」という）が作製される。第２延伸工程では、改幅第１延伸テープ状物の折返し部分の一部又は全部が把持されて改幅第１延伸テープ状物が改幅第１延伸テープ状物の幅方向に延伸されて第２延伸テープ状物が作製される。折返し工程では、テープ状物折返し装置を用いて第１延伸テープ状物の折返しを行う。テープ状物折返し装置は、押さえ具および第１ガイド部材を有している。押さえ具は、第１延伸テープ状物の幅よりも狭い幅を有し、第１延伸テープ状物の一部を第１延伸テープ状物の片方の面から押さえつける。第１ガイド部材は、押さえ具のテープ状物送り方向下流側に配置され、テープ状物送り方向下流側からテープ状物の通過路に沿って見た場合において押さえ具の外側に向かうに従って下方に向かって傾斜する。
【０００７】
使用態様については特に限定されず粘着テープの幅方向片側に非粘着部を形成するために用いられてもよい。
【０００８】
この二軸延伸テープ状物製造方法には折返し工程が組み込まれている。そして、この折返し工程では、第１延伸テープ状物の幅方向の片端部又は両端部が１回又は複数回折り返されて改幅第１延伸テープ状物が作製される。このため、オペレータ等が第１延伸工程において予め幅広の第１延伸テープ状物が作製されるようにカレンダー成形装置や第１延伸装置（未延伸テープ状物を長手方向に延伸する装置）等の制御パラメータ等を設定しておけば、そのオペレータ等は、第２延伸装置（第１幅方向延伸装置）における延伸倍率が大きくなるように変更されるような場合であってもビード押出成形装置の金型の交換、カレンダー成形装置（未延伸テープ状物の成形装置）や第１延伸装置（長手方向延伸装置）等の制御パラメータ等の再設定等を行う必要はない。また、この二軸延伸テープ状物製造方法は、第１延伸テープ状物が未焼成ＰＴＦＥテープである場合であっても問題なく利用することができる。さらに、未焼成テープの延伸においては、配向が安定した一軸延伸テープの中央部を横延伸することができるので、品質の安定した２軸延伸物が得られる。
【０００９】
そして、このテープ状物折返し装置では、先ず、第１延伸テープ状物の一部がテープ状物の片面から押さえ具で押さえつけられると、押さえ具からはみ出ている第１延伸テープ状物の端部が押さえ具側に立ち上がる。そして、このテープ状物折返し装置では、さらに、押さえ具によって立ち上げられた第１延伸テープ状物の端部がテープ状物送り方向下流側において第１ガイド部材の下側に通されるようにセットされる。この結果、第１ガイド部材近傍では、第１延伸テープ状物の立ち上がった端部が第１延伸テープ状物の内側に折り返された状態となる。そして、このように第１延伸テープ状物がセットされた状態で、第１延伸テープ状物がテープ状物送り方向に向かって送られると、第１延伸テープ状物の端部が連続的に折り返される。なお、折り返された第１延伸テープ状物の幅は、押さえ具の幅とほぼ同一となる。このため、このテープ状物折返し装置は、押さえ具の幅が第２延伸工程における延伸倍率に適した幅に設定されれば、本二軸延伸テープ状物製造方法を実現させることができる。
【００１０】
なお、このようにテープ状物の幅方向の端部を折り返すテープ状物折返し装置の従前の例としては、テープ状物を送り出す送出ローラと、テープ状物を案内するためのガイドローラと、送出ローラとガイドローラとの間に位置しテープ状物の幅方向の片端部が張り出すように巻き掛けられる折曲ローラと、テープ状物の折曲ローラから張り出した部分（以下「張出部分」という）と接触するように設けられ張出部分をテープ状物の内側に案内するように形成される折返しガイドとを備える装置（例えば、特開２００３−１１８９２６号公報）が挙げられる。
【００１１】
しかし、このようなテープ状物折返し装置では、テープ状物の幅方向の端の形状が一定でない場合にある時点から折曲ローラでテープ状物が折り返されないおそれが生じるという問題や、テープ状物が比較的剛直である場合にテープ状物の一部がローラから張り出していてもテープ状物が下方に垂れずテープ状物の端部を折り返すことができないといった問題がある。これに対し、第１発明に係る２軸延伸テープ状物製造方法では、このような問題は生じ得ない。この点で、第１発明に係る２軸延伸テープ状物製造方法は、従前のテープ状物折返し装置を用いた製造方法よりも優れる。
【００１２】
第２発明に係る二軸延伸テープ状物製造方法は、第１発明に係る二軸延伸テープ状物製造方法であって、押さえ具は、第１ガイドローラである。この第１ガイドローラは、テープ状物の幅方向と平行な方向に沿った回転軸を有する。また、第１ガイド部材は、第２ガイドローラである。この第２ガイドローラは、テープ状物送り方向下流側からテープ状物の通過路に沿って見た場合において押さえ具の内側から外側に向かうに従って下方に向かって傾斜する方向に沿った回転軸を有する。
【００１３】
このテープ状物折返し装置では、押さえ具が第１ガイドローラであり、第１ガイド部材が第２ガイドローラである。このため、この二軸延伸テープ状物製造方法では、摩擦擦過に弱いテープ状物であってもテープ状物を傷めることなくテープ状物の幅方向の端部を折り返すことができ、また、摩擦係数が高いテープ状物であってもテープ状物を幅方向の端部を折返しながらスムースにテープ状物を送ることができる。
【００１４】
第３発明に係る二軸延伸テープ状物製造方法は、第１発明又は第２発明に係る二軸延伸テープ状物製造方法であって、テープ状物折返し装置が第２ガイド部材をさらに備える。第２ガイド部材は、押さえ具の少なくとも幅方向片側に押さえ具と近接して配置されている。そして、この第２ガイド部材は、テープ状物送り方向下流側からテープ状物の通過路に沿って見た場合において押さえ具の側面と平行な方向に沿って延びている。なお、この第２ガイド部材は、テープ状物送り方向下流側からテープ状物の通過路に沿って見た場合において押さえ具の側面と平行な方向のうちテープ状物の通過路に直交する方向に沿って延びるのが好ましい。
【００１５】
この二軸延伸テープ状物製造方法では、テープ状物の一部がテープ状物の片面から押さえ具で押さえつけられ、そのときに押さえ具からはみ出ているテープ状物の端部が押さえ具と第２ガイド部材との間に挿入されるようにテープ状物がセットされる。このため、この二軸延伸テープ状物製造方法では、テープ状物の端部を確実に立ち上げられた状態とすることができる。
【００１６】
第４発明に係る二軸延伸テープ状物製造方法は、第３発明に係る二軸延伸テープ状物製造方法であって、第２ガイド部材は、第３ガイドローラである。この第３ガイドローラは、テープ状物の幅方向を含む面と直交する方向に沿った回転軸を有する。
【００１７】
このテープ状物折返し装置では、第２ガイド部材が第３ガイドローラである。このため、この二軸延伸テープ状物製造方法では、摩擦擦過に弱いテープ状物であってもテープ状物を傷めることなくテープ状物の幅方向の端部を折り返すことができ、また、摩擦係数が高いテープ状物であってもテープ状物を幅方向の端部を折返しながらスムースにテープ状物を送ることができる。
【００１８】
第５発明に係る二軸延伸テープ状物製造方法は、第４発明に係る二軸延伸テープ状物製造方法であって、押さえ具は、第１ガイドローラである。この第１ガイドローラは、テープ状物の幅方向と平行な方向に沿った回転軸を有する。また、第３ガイドローラは、第１ガイドローラの回転軸よりも第１ガイド部材側に配置されており、且つ、回転軸がテープ状物の通過路に直交するように配置されている。
【００１９】
このテープ状物折返し装置では、第３ガイドローラが、第１ガイドローラの回転軸よりも第１ガイド部材側に配置されており、且つ、回転軸がテープ状物の通過路に直交するように配置されている。このため、この二軸延伸テープ状物製造方法では、テープ状物に不要な張力がかかることを防止することができる。
【００２０】
第６発明に係る二軸延伸テープ状物製造方法は、第１発明から第５発明のいずれかに係る二軸延伸テープ状物製造方法であって、テープ状物折返し装置が第３ガイド部材をさらに備える。この第３ガイド部材は、押さえ具と第１ガイド部材との間に配置される。そして、この第３ガイド部材は、テープ状物送り方向下流側からテープ状物の通過路に沿って見た場合において一部が押さえ具と重なっており、押さえ具の外側から内側に向かうに従って先細り形状となる。なお、第３ガイド部材の先端は、テープ状物切断防止のため丸みを帯びた形状とされるのが好ましい。
【００２１】
このテープ状物折返し装置では押さえ具と第１ガイド部材との間に第３ガイド部材が配置される。このため、この二軸延伸テープ状物製造方法では、押さえ具によって立ち上げられたテープ状物の端部が第３ガイド部材に接触するように第３ガイド部材が配置されれば、押さえ具によって立ち上げられたテープ状物の端部がさらに内側に折り曲げられる。したがって、この二軸延伸テープ状物製造方法では、テープ状物の端部を複数回折り返すことができる。
【００２２】
なお、このようにテープ状物の端部を複数回折り返すことができれば、テープ状物の中央部にテープ状物の端部が接触することを避けることができる。このため、テープ状物の折返し部分が把持されてテープ状物が幅方向に延伸される場合において完成品部分となるテープ状物中央部に欠損が生じにくくなる。
【００２３】
第７発明に係る二軸延伸テープ状物製造方法は、第６発明に係る二軸延伸テープ状物製造方法であって、第３ガイド部材は、第４ガイドローラである。そして、この第４ガイドローラは、テープ状物の幅方向と平行な方向を含む面と直交する方向に沿った回転軸を有する。また、この第４ガイドローラは、回転軸を含む面で切ったときに断面が半径方向外側に向かうに従って先細りとなる外周先端部を有する。つまり、この第４ガイドローラは、回転軸を含む面で切った断面が菱形や六角形等の形状を有するそろばん珠状のガイドローラである。また、第２ガイド部材が第３ガイドローラである場合、第４ガイドローラの回転軸は第３ガイドローラの回転軸に平行であることが好ましい。
【００２４】
このテープ状物折返し装置では、第３ガイド部材が第４ガイドローラである。このため、この二軸延伸テープ状物製造方法では、剪断応力の低いテープ状物であってもテープ状物を切断することなくテープ状物の幅方向の端部を複数回折り返すことができる。
【００２５】
第８発明に係る二軸延伸テープ状物製造方法は、第１発明から第７発明のいずれかに係る二軸延伸テープ状物製造方法であって、テープ状物折返し装置が張力形成機構をさらに備える。張力形成機構は、テープ状物に、テープ状物の長手方向に沿って一定の張力をかける。
【００２６】
このテープ状物折返し装置には張力形成機構が設けられる。このため、この二軸延伸テープ状物製造方法では、弾性を有し張力により幅が変動するテープ状物（例えば、網目状繊維構造を有する未焼成ＰＴＦＥテープ等）を常に一定幅になるように折り返すことができる。
【００２７】
第９発明に係る二軸延伸テープ状物製造方法は、第３発明から第８発明のいずれかに係る二軸延伸テープ状物製造方法であって、ガイド部材は、テープ状物送り方向下流側からテープ状物の通過路に沿って見た場合において押さえ具の幅方向両側にそれぞれ一対ずつ設けられる。そして、このテープ状物折返し装置は、一対の保持部材及び保持部材間距離調節機構をさらに備える。保持部材は、押さえ具の幅方向片側に設けられるガイド部材をまとめて保持する。保持部材間距離調節機構は、保持部材の中間点が常に一定となるように保持しながら保持部材を押さえ具の幅方向と平行な方向に沿って移動させることが可能である。なお、この保持部材間距離調節機構は、リンク機構等を利用することによって製作可能である。
【００２８】
このテープ状物折返し装置には一対の保持部材及び保持部材間距離調節機構が設けられる。このため、この二軸延伸テープ状物製造方法では、押さえ具が幅の異なる押さえ具に変更された場合であっても全てのガイド部材を容易に且つ正確に適正な位置に配置し直すことができる。
【００２９】
第１０発明に係る二軸延伸テープ状物製造方法は、第１発明から第９発明のいずれかに係る二軸延伸テープ状物製造方法であって、テープ状物折返し装置が押さえ具切換機構をさらに備える。押さえ具切換機構は、異なる幅を有する複数の押さえ具を保持する。そして、この押さえ具切換機構は、テープ状物を押さえつける押さえ部を切り換えることが可能である。
【００３０】
このテープ状物折返し装置には押さえ具切換機構が設けられる。このため、この二軸延伸テープ状物製造方法では、オペレータ等が押さえ具の幅を変更する場合においてオペレータ等が押さえ具を取り外して他の押さえ具を取り付ける手間を省くことができる。
【発明の効果】
【００３１】
第１発明に係る二軸延伸テープ状物製造方法を採用するに当たり、オペレータ等が第１延伸工程において予め幅広の第１延伸テープ状物が作製されるようにカレンダー成形装置や第１延伸装置（未延伸テープ状物を長手方向に延伸する装置）等の制御パラメータ等を設定しておけば、そのオペレータ等は、第２延伸装置（第１幅方向延伸装置）における延伸倍率が大きくなるように変更されるような場合であってもビード押出成形装置の金型の交換、カレンダー成形装置（未延伸テープ状物の成形装置）や第１延伸装置（長手方向延伸装置）等の制御パラメータ等の再設定等を行う必要はない。また、この二軸延伸テープ状物製造方法は、第１延伸テープ状物が未焼成ＰＴＦＥテープである場合であっても問題なく利用することができる。さらに、未焼成テープの延伸においては、配向が安定した一軸延伸テープの中央部を横延伸することができるので、品質の安定した２軸延伸物が得られる。また、押さえ具の幅が第２延伸工程における延伸倍率に適した幅に設定されれば、本二軸延伸テープ状物製造方法を実現させることができる。
【００３２】
第２発明に係る二軸延伸テープ状物製造方法では、摩擦擦過に弱いテープ状物であってもテープ状物を傷めることなくテープ状物の幅方向の端部を折り返すことができ、また、摩擦係数が高いテープ状物であってもテープ状物を幅方向の端部を折返しながらスムースにテープ状物を送ることができる。
【００３３】
第３発明に係る二軸延伸テープ状物製造方法では、テープ状物の端部を確実に立ち上げられた状態とすることができる。
【００３４】
第４発明に係る二軸延伸テープ状物製造方法では、摩擦擦過に弱いテープ状物であってもテープ状物を傷めることなくテープ状物の幅方向の端部を折り返すことができ、また、摩擦係数が高いテープ状物であってもテープ状物を幅方向の端部を折返しながらスムースにテープ状物を送ることができる。
【００３５】
第５発明に係る二軸延伸テープ状物製造方法では、テープ状物に不要な張力がかかることを防止することができる。
【００３６】
第６発明に係る二軸延伸テープ状物製造方法では、押さえ具によって立ち上げられたテープ状物の端部が第３ガイド部材に接触するように第３ガイド部材が配置されれば、押さえ具によって立ち上げられたテープ状物の端部がさらに内側に折り曲げられる。したがって、この二軸延伸テープ状物製造方法では、テープ状物の端部を複数回折り返すことができる。
【００３７】
第７発明に係る二軸延伸テープ状物製造方法では、剪断応力の低いテープ状物であってもテープ状物を切断することなくテープ状物の幅方向の端部を複数回折り返すことができる。
【００３８】
第８発明に係る二軸延伸テープ状物製造方法では、弾性を有し張力により幅が変動するテープ状物（例えば、網目状繊維構造を有する未焼成ＰＴＦＥテープ等）を常に一定幅になるように折り返すことができる。
【００３９】
第９発明に係る二軸延伸テープ状物製造方法では、押さえ具が幅の異なる押さえ具に変更された場合であっても全てのガイド部材を容易に且つ正確に適正な位置に配置し直すことができる。
【００４０】
第１０発明に係る二軸延伸テープ状物製造方法では、オペレータ等が押さえ具の幅を変更する場合においてオペレータ等が押さえ具を取り外して他の押さえ具を取り付ける手間を省くことができる。
【発明を実施するための最良の形態】
【００４１】
本発明の一実施形態に係る二軸延伸装置１は、未延伸テープ状物ＵＴを長手方向及び幅方向に延伸処理するための装置であって、図１に示されるように、主に、第１繰出しローラ６１ａ、一軸延伸装置１０、第１巻取りローラ６１ｂ、第２繰出しローラ６２ａ、ダンサーロール式張力制御機構２５、折返し装置２０、テンター装置５０及び第２巻取りローラ６２ｂから構成される。この二軸延伸装置１では、図１に示されるように、未延伸テープ状物ＵＴが第１繰出しローラ６１ａから繰り出され、一軸延伸装置１０において未延伸テープ状物ＵＴが未延伸テープ状物ＵＴの長手方向に延伸されて一軸延伸テープ状物１ＳＴとされ、その一軸延伸テープ状物１ＳＴが第１巻取りローラ６１ｂにより巻き取られる。そして、一軸延伸テープ状物１ＳＴを巻き取った第１巻取りローラ６１ｂが第２繰出しローラ６２ａとしてセットされ、一軸延伸テープ状物１ＳＴが第２繰出しローラ６２ａから繰り出され、折返し装置２０において一軸延伸テープ状物１ＳＴの幅方向の両端部が折り返されて一軸延伸テープ状物１ＳＴが改幅一軸延伸テープ状物ＩＷ−１ＳＴとされ、さらに、テンター装置５０において改幅一軸延伸テープ状物ＩＷ−１ＳＴの折返し部分が把持され、改幅一軸延伸テープ状物ＩＷ−１ＳＴが改幅一軸延伸テープ状物ＩＷ−１ＳＴの幅方向に延伸されて二軸延伸テープ状物２ＳＴとされ、最後に二軸延伸テープ状物２ＳＴが第２巻取りローラ６２ｂにより巻き取られる。なお、このとき、第２繰出しローラ６２ａから折返し装置２０の出口ローラ２５２までの一軸延伸テープ状物１ＳＴ，ＩＷ−１ＳＴには、ダンサーロール式張力制御機構２５により常に一定の張力がかけられている。また、本実施の形態において二軸延伸装置１を構成する主要な装置１０，２０，５０のうち一軸延伸装置１０及びテンター装置５０は当業者に公知の一軸延伸装置及びテンター装置である。したがって、本実施の形態では、一軸延伸装置１０及びテンター装置５０の説明を省略し、折返し装置２０についてのみ以下に説明を行う。
【００４２】
＜折返し装置の構成＞
本発明に係る折返し装置２０は、図２及び図６に示されるように、主に、フレーム２９、入口ローラ２５１、第１ガイドローラ２１ａ，２１ｂ、第２ガイドローラ２２、第３ガイドローラ２３、第４ガイドローラ２４、出口ローラ２５２及びリンク機構２７から構成される。なお、図２は、折返し装置の幅方向中間点を通るように長手方向に沿って切断し内部側から見たときの折返し装置の概略図である。以下、これらの構成要素について詳述する。
【００４３】
（１）フレーム
フレーム２９は、図２及び図３に示されるように、折返し装置２０の幅方向両側に設けられる枠体であって、折返し装置２０の主要構成部品を支持している。
【００４４】
（２）入口ローラ
入口ローラ２５１は、一軸延伸装置１０から送られてくる一軸延伸テープ状物１ＳＴの幅方向に平行な回転軸ＡＸ５を介してフレーム２９に支持されるローラであって、一軸延伸テープ状物１ＳＴを折返し装置２０内に案内する。なお、この入口ローラ２５１の幅は、一軸延伸テープ状物１ＳＴの幅よりも広く設計されている。
【００４５】
（３）第１ガイドローラ
第１ガイドローラ２１ａ，２１ｂは、入口ローラ２５１の回転軸ＡＸ５と平行な回転軸ＡＸ１ａ，ＡＸ１ｂ及び一軸延伸テープ状物１ＳＴよりも狭い幅を有する円柱形のローラであって、本実施の形態では図３に示されるように折返し装置２０の幅方向ほぼ中央に位置しており、一軸延伸テープ状物１ＳＴの幅方向中央部を下方に押さえつける。なお、本実施の形態では、図２に示されるように、この第１ガイドローラ２１ａ，２１ｂが押し下げ深さによって、一軸延伸テープ状物１ＳＴ，ＩＷ−１ＳＴの通過路ＰＬ（面状の通過路）が決定される。
【００４６】
なお、本実施の形態に係る折返し装置２０では、図３に示されるように、幅広の第１ガイドローラ２１ｂと幅狭の第１ガイドローラ２１ａとが用意されており、これらの第１ガイドローラ２１ａ，２１ｂは、第１ガイドローラ切換機構２８により切換可能となっている。なお、第１ガイドローラ２１ａ，２１ｂが切り換えられるとき、スライダ２６（図６参照）が折返し装置２０の幅方向外側に引き出されて第２ガイドローラ２２が第１ガイドローラ２１ａ，２１ｂから離れた状態とされる（ガイドローラ２１ａ，２１ｂ，２２の接触防止のため）。なお、スライダ２６の移動機構については後に詳述する。
【００４７】
第１ガイドローラ切換機構２８は、図２及び図３に示されるように、主に、折返し装置２０の幅方向両側に設けられる一対のローラリンク２８５及びローラリンク支持板２８４から構成されている。ローラリンク２８５は、両第１ガイドローラ２１ａ，２１ｂを、第１ガイドローラ２１ａ，２１ｂの回転軸ＡＸ１ａ，ＡＸ１ｂを介して支持する。ローラリンク支持板２８４は、ローラリンク２８５の外側に位置し、ローラリンク２８５を、ローラリンク２８５の回転軸ＡＸ７を介して支持する。第１ガイドローラ切換機構２８は、このように構成されているため、ローラリンク２８５をローラリンク２８５の回転軸ＡＸ７を中心として回転させることにより幅広の第１ガイドローラ２１ｂと幅狭の第１ガイドローラ２１ａとを適宜切り換えることができる。
【００４８】
（４）第２ガイドローラ
第２ガイドローラ２２は、図２及び図３に示されるように、一軸延伸テープ状物１ＳＴ，ＩＷ−１ＳＴの通過路ＰＬに垂直な回転軸ＡＸ２（第１ガイドローラ２１ａ，２１ｂの側面ＳＳ１，ＳＳ２に平行）を有する円柱形のローラであって、第１ガイドローラ２１ａ，２１ｂの回転軸ＡＸ１ａ，ＡＸ１ｂよりも出口ローラ２５２に近い側の両脇に第１ガイドローラ２１ａ，２１ｂと近接するように配置されている。
【００４９】
また、この第２ガイドローラ２２は、図３、図６及び図７に示されるように、軸受け２２２及びガイドシャフト２２１を介してスライダ２６に結合されている。このため、第２ガイドローラ２２は、ガイドシャフト２２１を中心として旋回することができる。したがって、第２ガイドローラ２２は、第１ガイドローラ２１ａ，２１ｂの切換によって一軸延伸テープ状物１ＳＴ，ＩＷ−１ＳＴの通過路ＰＬが変更される場合であっても、回転軸ＡＸ２が一軸延伸テープ状物１ＳＴ，ＩＷ−１ＳＴの通過路ＰＬに対して垂直になるように調整することができる。
【００５０】
（５）第３ガイドローラ
第３ガイドローラ２３は、図２及び図５に示されるように、一軸延伸テープ状物送り方向ＭＤの下流側から一軸延伸テープ状物１ＳＴ，ＩＷ−１ＳＴの通過路ＰＬに沿って見た場合において又は一軸延伸テープ状物送り方向ＭＤに沿って見た場合において第１ガイドローラ２１ａ，２１ｂからフレーム２９に向かうにつれて下方に向かって傾斜する回転軸ＡＸ３を有する円柱形のローラであって、第４ガイドローラ２４の一軸延伸テープ状物送り方向ＭＤ下流側に配置されている。また、この第３ガイドローラ２３は、一軸延伸テープ状物送り方向ＭＤの下流側から一軸延伸テープ状物１ＳＴ，ＩＷ−１ＳＴの通過路ＰＬに沿って見た場合において又は一軸延伸テープ状物送り方向ＭＤに沿って見た場合において第１ガイドローラ２１ａ，２１ｂ及び第２ガイドローラ２２に重なるように配置されている。
【００５１】
また、この第３ガイドローラ２３は、図５、図６及び図７に示されるように、回転軸ＡＸ３に取り付けられている。この回転軸ＡＸ３は、ガイドシャフト２３１とその中心軸の交差角度を調整可能に取り付けられいる。また、このガイドシャフト２３１は、軸受２３２を介してスライダ２６に軸を中心として回転可能に取り付けられている。したがって、第３ガイドローラ２３は、３自由度に調整可能に組み込まれていることになる。また、、回転軸ＡＸ３周りの回転自由度を含めると、第３ガイドローラ２３は４自由度を有していることになる。このため、第３ガイドローラは、改幅第一延伸テープ状物１Ｗ−１ＳＴの折り返し面に対して適正姿勢、適正位置に配置される。
【００５２】
（６）第４ガイドローラ
第４ガイドローラ２４は、図２及び図４に示されるように、一軸延伸テープ状物１ＳＴ，ＩＷ−１ＳＴの通過路ＰＬに垂直な回転軸ＡＸ４を有するそろばん珠状のローラ（図９参照）であって、第２ガイドローラ２２及び第３ガイドローラの間（第２ガイドローラ２２の一軸延伸テープ状物送り方向ＭＤ下流側、第３ガイドローラ２３の一軸延伸テープ状物送り方向ＭＤ上流側）に配置される。また、この第４ガイドローラ２４は、一軸延伸テープ状物送り方向ＭＤの下流側から一軸延伸テープ状物１ＳＴ，ＩＷ−１ＳＴの通過路ＰＬに沿って見た場合において又は一軸延伸テープ状物送り方向ＭＤに沿って見た場合において外周先端部ＰＲ（図９参照）が第１ガイドローラ２１ａ，２１ｂに重なるように（外周先端部ＰＲが第１ガイドローラ２１ａ，２１ｂの側面から内部へ突出するように）配置されている。なお、第４ガイドローラ２４の外周先端部の上下位置により、一軸延伸テープ状物１ＳＴの幅方向の端部の折返し形状を変化する。このため、第４ガイドローラ２４の上下位置は、一軸延伸テープ状物１ＳＴの折返し形状を加味して決定される必要がある。
【００５３】
また、この第４ガイドローラ２４は、図４、図６及び図７に示されるように、回転軸ＡＸ４の軸方向に位置調整可能に取り付けられている。この回転軸ＡＸ４は、ガイドシャフト２４１とその中心軸の交差角度を調整可能に取り付けられている。また、このガイドシャフト２４１は、軸受２４２を介してスライダ２６に軸を中心として回転可能に取り付けられている。したがって、第４ガイドローラ２４は、４自由度に調整可能に組み込まれていることになる。また、回転軸ＡＸ４周りの回転自由度を含めると、第４ガイドローラ２４は５自由度を有していることになる。このため、第４ガイドローラは、改幅第一延伸テープ状物１Ｗ−１ＳＴの折り返し位置に対して適正姿勢、適正位置に配置される。
【００５４】
なお、折り幅の上限は、第４ガイドローラ２４の図９に示すそろばん玉状断面のＶ字辺長で決定される。このため、これを超える折り幅については大きなＶ字辺長を有する第４ガイドローラと交換すればよい。
【００５５】
（７）出口ローラ
出口ローラ２５２は、入口ローラ２５１の回転軸ＡＸ５と平行な回転軸ＡＸ６をを介してフレーム２９に支持されるローラであって、第１ガイドローラ２１ａ，２１ｂ、第２ガイドローラ２２、第４ガイドローラ２４及び第３ガイドローラ２３によって形成された改幅一軸延伸テープ状物ＩＷ−１ＳＴを第１巻取りローラ側に案内する。なお、この出口ローラ２５２の幅は、改幅一軸延伸テープ状物ＩＷ−１ＳＴの幅よりも広く設計されている。
【００５６】
（８）リンク機構
リンク機構２７は、図４〜図６に示されるように、主に、センターリンク２７１、サイドリンク２７２、リンクヒンジ２７Ａ，２７Ｃ，２７Ｅ及びリンクピン２７Ｂ，２７Ｄから構成される。センターリンク２７１は、その中心点においてリンクヒンジ２７Ｃにより下部フレーム２９１に回転自在に取り付けられている。また、このセンターリンク２７１の両端部にはサイドリンク２７２がリンクピン２７Ｂ，２７Ｄにより回転自在に取り付けられている。なお、２本のサイドリンク２７２の長さは等しい。そして、サイドリンク２７２の端部のうちセンターリンク２７１取り付け側と反対側の端部はスライダ２６の中央部分にリンクヒンジ２７Ａ，２７Ｅにより回転自在に取り付けられている。このため、片側のスライダ２６が折返し装置２０の幅方向外側に引き出されると、もう片側のスライダ２６が先のスライダ２６の引き出し量と同じ量だけ引き出される。つまり、このリンク機構２７により、２つのスライダ２６の中間点ＭＰからそれぞれのスライダ２６の距離は常に同一となる。
【００５７】
なお、スライダ２６間の幅調節には、図７及び図８に示されるストッパー３０及びスペーサ４０が用いられる。
【００５８】
ストッパー３０は、図７及び図８に示されるように、主に、アーム部３１、ハンドル部３２、付勢固定部３３及び握り部３４から構成される。アーム部３１は、図７及び図８に示されるように、略長方形状の板状部材であり、スライダ２６の角部に形成される溝に嵌め込まれることによってスライダ２６の位置ずれを防止する役割を担う。ハンドル部３２は、アーム部３１の板厚方向に沿ってアーム部３１から折返し装置２０の内側に向かって延びる棒状部分であり、アーム部３１の先端部に取り付けられている。なお、このハンドル部３２は、スライダ２６のロック及びロック解除時にオペレータ等によって握られる。付勢固定部３３は、図７に示されるように、主に、棒状部３３１、バネ３３２及び軸受３３３から構成されている。棒状部３３１は、アーム部３１の板厚方向に沿ってアーム部３１から折返し装置２０の内側に向かって延びる部分であり、アーム部３１の略中央部分に取り付けられている。そして、この棒状部３３１は、図７に示されるように、フレーム２９に形成された貫通孔に軸受３３３を介して挿通されている。バネ３３２は、折返し装置２０の内側において棒状部３３１の外側に通されており、ストッパー３０全体をフレーム２９に押しつける役目を担っている。握り部３４は、ストッパー３０全体を折返し装置２０の幅方向外側に引き出すための部分であって、スライダ２６間の幅調節時にオペレータ等によって握られる。ストッパー３０は、このように構成されているため、バネ３３２の付勢力よりも大きな力で折返し装置２０の幅方向外側に引っ張られると折返し装置２０の幅方向外側に引き出され、その力が解放されるとバネ３３２の付勢力によってフレーム２９に押しつけられる。
【００５９】
スペーサ４０は、図７及び図８に示されるように、略長方形状の板状部材であり、フレーム２９とストッパー３０との間に配置されている。そして、このスペーサ４０には端部に板厚方向に貫通する貫通孔が形成されており、この貫通孔にはストッパー３０の棒状部３３１が挿通される。このため、スペーサ４０は、ストッパー３０の棒状部３３１を中心として回転することができる。なお、このスペーサ４０は、図８に示されるように、幅広の第１ガイドローラ２１ｂが利用される場合にフレーム２９に向かって右方向に倒されスライダ２６とフレーム２９との間に挿入され、幅狭の第１ガイドローラ２１ａが利用される場合にフレーム２９に向かって左方向に倒されフリーな状態となる。なお、後者の場合、もちろんスライダ２６間の距離は前者の場合に比べて短くなる。
【００６０】
＜折返し装置における一軸延伸テープ状物の両端部の折り返しの様子＞
この折返し装置１では、先ず、第１ガイドローラ２１ａ，２１ｂが横に持ち上げられた状態で第２繰出しローラ６２ａから供給される一軸延伸テープ状物１ＳＴが入口ローラ２５１及び出口ローラ２５２の上部に接触するように渡され、次いで、第１ガイドローラ２１ａ，２１ｂが規定位置になるようにセットされて一軸延伸テープ状物１ＳＴが上面から押さえつけられる。そして、この状態において、第１ガイドローラ２１ａ，２１ｂからはみ出している一軸延伸テープ状物１ＳＴの幅方向の端部が第１ガイドローラ２１ａ，２１ｂと第２ガイドローラ２２に挟み込まれ立ち上げられる（図３参照）。そして、さらに、一軸延伸テープ１ＳＴは、立ち上げられた幅方向の端部が第４ガイドローラ２４の外周先端部ＰＲに接することによりさらに内側に折り返され（図４参照）、第３ガイドローラ２３において複数折り返された幅方向の端部が下方に押さえつけられ（図５参照）出口ローラ２５２で図１０に示されるような改幅一軸延伸テープ状物ＩＷ−１ＳＴとなる。なお、この改幅一軸延伸テープ状物ＩＷ−１ＳＴはテンター装置５０のチャック（図示せず）に把持される。そして、この状態で、テンター装置５０が稼働されると、第２繰出しローラ６２ａから供給される一軸延伸テープ状物１ＳＴは、連続的に改幅一軸延伸テープ状物ＩＷ−１ＳＴとなり、テンター装置５０に供給される。
【００６１】
＜本発明に係る二軸延伸装置の特徴＞
（１）
本発明の実施の形態に係る二軸延伸装置１では、先ず、一軸延伸装置１０において未延伸テープ状物ＵＴが未延伸テープ状物ＵＴの長手方向に延伸されて一軸延伸テープ状物１ＳＴが作製される。そして、折返し装置２０では、一軸延伸テープ状物１ＳＴの一部が一軸延伸テープ状物１ＳＴの片面から第１ガイドローラ２１ａ，２１ｂで押さえつけられると共に第１ガイドローラ２１ａ，２１ｂからはみ出ている一軸延伸テープ状物１ＳＴの幅方向の端部が第１ガイドローラ２１ａ，２１ｂと第２ガイドローラ２２との間に挿入され立ち上げられる。そして、第１ガイドローラ２１ａ，２１ｂと第２ガイドローラ２２とによって立ち上げられた一軸延伸テープ状物１ＳＴの幅方向の端部が一軸延伸テープ状物送り方向ＭＤ下流側において第４ガイドローラ２４に接触して複数回折り返され、第３ガイドローラ２３において一軸延伸テープ状物１ＳＴの幅方向の端部が下方に押さえつけられる。この結果、出口ローラ２５２では、一軸延伸テープ状物１ＳＴは図１０に示されるような改幅一軸延伸テープ状物ＩＷ−１ＳＴとなる。なお、改幅一軸延伸テープ状物ＩＷ−１ＳＴの幅は、第１ガイドローラ２１ａ，２１ｂの幅とほぼ同一となる。そして、このようにして作製された改幅一軸延伸テープ状物ＩＷ−１ＳＴはテンター装置５０において折返し部分が把持され幅方向に延伸されて二軸延伸テープ状物２ＳＴとされる。このため、オペレータ等が一軸延伸装置１０により予め幅広の一軸延伸テープ状物１ＳＴが作製されるようにカレンダー成形装置（図示せず）や一軸延伸装置１０等の制御パラメータ等を設定しておけば、そのオペレータ等は、テンター装置５０における延伸倍率が大きくなるように変更されるような場合であってもカレンダー成形装置や一軸延伸装置１０等の制御パラメータ等の再設定を行う必要はない。また、この二軸延伸装置１において折返し装置２０の出口ローラ２５２で得られる改幅一軸延伸テープ状物ＩＷ−１ＳＴは図１０に示されるようになるので、テンター装置５０において幅方向の端部が製品になる中央部分に擦れることがない。このため、この二軸延伸装置１では、二軸延伸テープ状物２ＳＴの歩留まり向上が期待される。
【００６２】
（２）
本発明の実施の形態に係る二軸延伸装置１では、折返し装置２０において一軸延伸テープ状物１ＳＴの幅方向の両端部の折返しに用いられるガイド部材２１ａ，２１ｂ，２２，２３，２４が全てローラである。このため、この二軸延伸装置１では、一軸延伸テープ状物１ＳＴが摩擦擦過に弱くても一軸延伸テープ状物１ＳＴを傷めることなく一軸延伸テープ状物１ＳＴの幅方向の端部を折り返すことができ、また、一軸延伸テープ状物１ＳＴの摩擦係数が高くても幅方向の端部を折返しながらスムースに一軸延伸テープ状物１ＳＴテープ状物を送ることができる。
【００６３】
（３）
本発明の実施の形態に係る二軸延伸装置１では、折返し装置２０において第２ガイドローラ２２が、第１ガイドローラ２１ａ，２１ｂの回転軸ＡＸ１ａ，ＡＸ１ｂよりも第３ガイドローラ２３側に配置されており、且つ、回転軸ＡＸ２が一軸延伸テープ状物１ＳＴの通過路ＰＬに直交するように配置されている。このため、この二軸延伸装置１では、一軸延伸テープ状物１ＳＴに不要な張力がかかることを防止することができる。
【００６４】
（４）
本発明の実施の形態に係る二軸延伸装置１では、折返し装置２０の改幅一軸延伸テープ状物送り方向上流側にダンサーロール式張力制御機構２５が設けられている。このため、この二軸延伸装置１では、折返し装置２０において一軸延伸テープ状物１ＳＴに常に一定の張力が付与されている。このため、この二軸延伸装置１では、折返し装置２０において未焼成ＰＴＦＥテープのように張力により幅が変動する網目状繊維構造を有する一軸延伸テープ状物１ＳＴを常に一定幅になるように折り返すことができる。
【００６５】
（５）
本発明の実施の形態に係る二軸延伸装置１では、折返し装置２０において一対のスライダ２６びリンク機構２７が設けられている。そして、各スライダ２６には、第２ガイドローラ２２、第３ガイドローラ２３及び第４ガイドローラが１つずつまとめて保持されている。このため、この二軸延伸装置１では、第１ガイドローラ２１ａ，２１ｂが幅の異なる第１ガイドローラ２１ａ，２１ｂに切り換えられた場合であっても第２ガイドローラ２２、第３ガイドローラ２３及び第４ガイドローラ２４を容易に且つ正確に適正な位置に配置し直すことができる。
【００６６】
（６）
本発明の実施の形態に係る二軸延伸装置１では、折返し装置２０において第１ガイドローラ切換機構２８が設けられている。このため、この二軸延伸装置１では、オペレータ等が第１ガイドローラ２１ａ，２１ｂの幅を変更する場合においてオペレータ等が第１ガイドローラを取り外して他の第１ガイドローラを取り付ける手間を省くことができる。
【００６７】
＜変形例＞
（Ａ）
先の実施の形態では特に言及しなかったが、折返し装置２０から第４ガイドローラ２４が取り除かれてもよい。かかる場合、改幅一軸延伸テープ状物ＩＷ−１ＳＴの折り返し形状は図１１に示されるようになる。
【００６８】
（Ｂ）
先の実施の形態では特に言及しなかったが、第２ガイドローラ２２、第３ガイドローラ２３及び第４ガイドローラ２４は片側のみ設けられてもよい。かかる場合、一軸延伸テープ状物１ＳＴの幅方向の片端部のみが折り返されることになる。なお、かかる場合、一軸延伸テープ状物１ＳＴの幅方向の片端ができるだけ第１ガイドローラ２１ａ，２１ｂの幅方向の第２ガイドローラ２２、第３ガイドローラ２３及び第４ガイドローラ２４の非配置側の端に沿うように一軸延伸テープ状物１ＳＴが折返し装置２０にセットされるのが好ましい。また、かかる場合、テンター装置５０では、改幅一軸延伸テープ状物の折返し部分と非折返し部分とがそれぞれ把持されて改幅一軸延伸テープ状物が横延伸処理される。
【００６９】
（Ｃ）
先の実施の形態では特に言及しなかったが、折返し装置２０から第２ガイドローラ２２が取り除かれてもよい。
【００７０】
（Ｄ）
先の実施の形態に係る折返し装置２０では第１ガイドローラ２１ａ，２１ｂの幅を変更するために予め２つの異なる幅を有する第１ガイドローラ２１ａ，２１ｂを保持し切り換えることができる第１ガイドローラ切換機構２８が設けられたが、回転軸が同一直線上にのるように複数の幅が同一な又は幅の異なる第１ガイドローラが並べられ、隣接する第１ガイドローラのいくつかを選択することにより第１ガイドローラの幅が調節されてもよい。
【００７１】
（Ｅ）
先の実施の形態に係る折返し装置２０では一軸延伸テープ状物１ＳＴの幅方向の端部を折り返すためにガイド部材として第１ガイドローラ２１ａ，２１ｂ、第２ガイドローラ２２、第３ガイドローラ２３及び第４ガイドローラ２４が採用されたが、一軸延伸テープ状物１ＳＴの耐摩擦性が高い場合等にはガイド部材として非回転体が採用されてもよい。
【００７２】
（Ｆ）
先の実施の形態ではテンター装置５０が独立した装置として存在する二軸延伸装置１が採用されたが、これに代えて、図１２に示されるように一軸延伸装置１０、折返し装置２０及びテンター装置５０が一体化されている二軸延伸装置１０１が採用されてもよい。かかる場合、折返し装置２０において一軸延伸テープ状物１ＳＴに常に一定の張力がかけられるようにするために、先の実施の形態に係るダンサーロール式張力制御機構２５が一軸延伸装置１０と折返し装置２０との間に挿入されてもよい。また、折返し装置２０の入口ローラ２５１及び出口ローラ２５２の少なくとも出口ローラ２５２の回転速度を制御して折返し装置２０における一軸延伸テープ状物１ＳＴに常に一定の張力がかかるようにしてもかまわない。
【００７３】
（Ｇ）
先の実施の形態に係る二軸延伸装置１では張力制御機構としてダンサーロール式張力制御機構２５が採用されたが、張力制御機構としてダンサーロール式張力制御機構以外の張力制御機構が採用されてもかまわない。
【００７４】
（Ｈ）
先の実施の形態では特に言及しなかったが、ダンサーロール式張力制御機構２５が折返し装置２０に組み込まれてもかまわない。
【００７５】
（Ｉ）
先の実施の形態では特に言及しなかったが、第４ガイドローラ２４が軸方向に沿って多段に重ねられてもよい。例えば、二段重ねであれば、その外周部の断面形状はＷ字型となる。このようにすると、折り返し回数を増やすことが可能となる。
【産業上の利用可能性】
【００７６】
本発明に係るテープ状物折返し装置は、テープ状物をテープ状物の幅方向の端部を折り返すことによりテープ状物の幅を調整することができるという特徴を有し、例えば、一軸延伸テープ状物の幅をテンター装置に代表される横延伸装置における設定延伸倍率に応じた幅に調節したり、粘着テープの幅方向片側に非粘着部を形成したりする用途に適用することができる。
【図面の簡単な説明】
【００７７】
【図１】本発明の一実施形態に係る二軸延伸装置の概略図である。
【図２】本発明の一実施形態に係る折返し装置の幅方向中間点を通るように長手方向に沿って切断し内部側から見たときの折返し装置の概略図である。
【図３】本発明の一実施形態に係る折返し装置の第１ガイドローラ及び第２ガイドローラを一軸延伸テープ状物送り方向に沿って見た図である。
【図４】本発明の一実施形態に係る折返し装置の第１ガイドローラ及び第４ガイドローラを一軸延伸テープ状物送り方向に沿って見た図である。
【図５】本発明の一実施形態に係る折返し装置の第１ガイドローラ及び第３ガイドローラを一軸延伸テープ状物送り方向に沿って見た図である。
【図６】本発明の一実施形態に係る折返し装置の部分平面図である。
【図７】本発明の一実施形態に係る折返し装置のスライダ付近の部分平面図である。
【図８】本発明の一実施形態に係る折返し装置のスライダ付近の部分側面図である。
【図９】本発明の一実施形態に係る折返し装置の第４ガイドローラの縦断面図である。
【図１０】本発明の一実施形態に係る折返し装置によって得られる改幅一軸延伸テープ状物の横断面図である。
【図１１】第４ガイドローラが取り除かれた折返し装置（変形例(Ａ)）によって得られる改幅一軸延伸テープ状物の横断面図である。
【図１２】変形例（Ｇ）に係る二軸延伸装置の概略図である。
【符号の説明】
【００７８】
１，１０１      二軸延伸装置（二軸延伸テープ状物製造装置）
１０      一軸延伸装置（第１延伸装置）
２０      折返し装置（テープ状物折返し装置）
２１ａ，２１ｂ      第１ガイドローラ（押さえ具）
２２      第２ガイドローラ（第２ガイド部材）
２３      第３ガイドローラ（第１ガイド部材）
２４      第４ガイドローラ（第３ガイド部材）
２５      ダンサーロール式張力制御機構（張力形成機構）
２６      スライダ（保持部材）
２７      リンク機構（保持部材間距離調節機構）
２８      第１ガイドローラ切換機構（押さえ具切換機構）
５０      テンター装置（第２延伸装置）
１ＳＴ      第１延伸テープ状物，テープ状物
２ＳＴ      第２延伸テープ状物
ＡＸ１ａ，ＡＸ１ｂ      第１ガイドローラの回転軸
ＡＸ２      第２ガイドローラの回転軸
ＡＸ３      第３ガイドローラの回転軸
ＡＸ４      第４ガイドローラの回転軸
ＩＷ−１ＳＴ      改幅第１延伸テープ状物
ＭＤ      一軸延伸テープ状物送り方向（テープ状物送り方向）
ＭＰ      スライダの中間点（保持部材の中間点）
ＰＬ      第１延伸テープ状物の通過路
ＰＲ      第４ガイドローラの外周先端部
ＳＳ１，ＳＳ２      第１ガイドローラの側面（押さえ具の側面）
ＵＴ      未延伸テープ状物
【図１】
0005082740.tif 000002
【図２】
0005082740.tif 000003
【図３】
0005082740.tif 000004
【図４】
0005082740.tif 000005
【図５】
0005082740.tif 000006
【図６】
0005082740.tif 000007
【図７】
0005082740.tif 000008
【図８】
0005082740.tif 000009
【図９】
0005082740.tif 000010
【図１０】
0005082740.tif 000011
【図１１】
0005082740.tif 000012
【図１２】
0005082740.tif 000013